(57)【要約】【課題】筐体部の厚み方向の長さをディスク読取装置の奥行方向の長さよりも小さくすることが可能であり、かつ、ディスク読取装置へのディスクの載置時の落下を抑制することが可能な液晶テレビジョンを提供する。【解決手段】この液晶テレビジョンでは、テレビジョン本体部１とは別個に設けられたディスク読取装置６が、テレビジョン本体部１に回動可能に取り付けられている。このディスク読取装置６は、出し入れ可能なトレイ６ｂにディスク２０を載置することによって、ディスク２０を本体内部に挿入する。また、ディスク読取装置６にディスク２０を挿入する際には、ディスク読取装置６を、トレイ６ｂの載置面６ｈが実質的に水平となる位置に移動させ、ディスク読取装置６を収納する際には、テレビジョン本体部１の背面部と当接する位置に移動させる。【選択図】図１
2007042198.tif 000002
【特許請求の範囲】
【請求項１】
映像が表示される液晶表示部と、前記液晶表示部が設置されるテレビジョン本体部と、前記液晶表示部に映像を表示させるディスク読取装置とを備えた液晶テレビジョンにおいて、
前記テレビジョン本体部は、前記ディスク読取装置からの信号を処理するための回路処理部をさらに備えるとともに、前記テレビジョン本体部とは別個に設けられるとともに、出し入れ可能なトレイにディスクを載置することによって、前記ディスクを本体内部に挿入するディスク読取装置をさらに備え、
前記ディスク読取装置は、接続部材によって前記テレビジョン本体部に回動可能に取り付けられ、前記接続部材の回動によって、前記トレイの載置面が実質的に水平となる位置から、前記テレビジョン本体部の背面部に前記ディスク読取装置の上面部が当接する位置まで移動することにより、前記テレビジョン本体部の背面部に収納するように構成され、かつ、前記接続部材を介して、前記回路処理部と電気的に接続されており、
前記テレビジョン本体部の背面部には、Ｌ字形状のフック部が設けられ、前記ディスク読取装置の上面部には、前記フック部が挿入される溝部が設けられ、
前記溝部の上部には、前記溝部の内面側に突出するとともに、前記Ｌ字形状のフック部の先端部が係合する突出部が設けられており、
前記Ｌ字形状のフック部は、前記ディスク読取装置の上面部が前記テレビジョン本体部の背面部と当接した際に、前記溝部に挿入されるとともに、所定の角度で回動することにより、前記Ｌ字形状のフック部の先端部が前記溝部の突出部と係合されることによって、前記ディスク読取装置が、前記テレビジョン本体部の背面部に固定され、
前記接続部材の一方端は、前記ディスク読取装置に回動可能に取り付けられ、
前記ディスク読取装置には、前記接続部材の回動を所定の角度で規制するための角度規制部が一体的に設けられており、
前記ディスク読取装置の下面部の一方側端部には、ゴムにより形成された前記ディスク読取装置を支持するための支持部が設けられている、液晶テレビジョン。
【請求項２】
映像が表示される表示部と、
前記表示部が設置されるテレビジョン本体部と、
前記テレビジョン本体部とは別個に設けられ、接続部材によって前記テレビジョン本体部に回動可能に取り付けられるとともに、出し入れ可能なトレイにディスクを載置することによって、前記ディスクを装置内部に挿入するディスク読取装置とを備え、
前記ディスク読取装置は、前記接続部材の回動によって、前記トレイの載置面が実質的に水平となる位置から、前記テレビジョン本体部の背面部に前記ディスク読取装置の上面部が当接する位置まで移動することにより、前記テレビジョン本体部の背面部に収納するように構成されている、テレビジョン。
【請求項３】
前記テレビジョン本体部は、前記ディスク読取装置からの信号を処理するための処理回路部をさらに備え、
前記ディスク読取装置は、前記接続部材を介して、前記処理回路部と電気的に接続されている、請求項２に記載のテレビジョン。
【請求項４】
前記テレビジョン本体部の背面部または前記ディスク読取装置の上面部の一方には、フック部が設けられ、
前記テレビジョン本体部の背面部または前記ディスク読取装置の上面部の他方には、前記フック部と係合する係合部が設けられ、
前記接続部材の回動によって、前記ディスク読取装置の上面部が前記テレビジョン本体部の背面部と当接した際に、前記フック部と前記係合部とが係合することによって、前記ディスク読取装置が前記テレビジョン本体部の背面部に固定される、請求項２または３に
記載のテレビジョン。
【請求項５】
前記フック部は、前記テレビジョン本体部に設けられるとともに、Ｌ字形状を有し、
前記係合部は、前記ディスク読取装置の上面部に設けられ、前記フック部が挿入される溝部を含み、
前記溝部の上部には、前記溝部の内面側に突出するとともに、前記Ｌ字形状のフック部の先端部が係合する突出部が設けられており、
前記Ｌ字形状のフック部は、前記ディスク読取装置の上面部が前記テレビジョン本体部の背面部と当接した際に、前記溝部に挿入されるとともに、所定の角度で回動することにより、前記Ｌ字形状のフック部の先端部が前記溝部の突出部と係合されることによって、前記ディスク読取装置が、前記テレビジョン本体部の背面部に固定される、請求項２〜４のいずれか１項に記載のテレビジョン。
【請求項６】
前記接続部材の一方端は、前記テレビジョン本体部に回動可能に取り付けられ、
前記接続部材の他方端は、前記ディスク読取装置に回動可能に取り付けられ、
前記ディスク読取装置には、前記接続部材の回動を所定の角度で規制するための角度規制部が一体的に設けられている、請求項２〜５のいずれか一項に記載のテレビジョン。
【請求項７】
前記ディスク読取装置の下面部の一方側端部には、ゴムにより形成され、前記ディスク読取装置を支持するための支持部が設けられている、請求項２〜６のいずれか１項に記載のテレビジョン。
【発明の詳細な説明】
【技術分野】
【０００１】
この発明は、テレビジョンおよび液晶テレビジョンに関し、特に、ディスク読取装置が設けられたテレビジョンおよび液晶テレビジョンに関する。
【背景技術】
【０００２】
従来、液晶表示部にディスク読取装置が取り付けられた電子機器およびテレビジョン受信機が知られている（たとえば、特許文献１および２参照）。
【０００３】
上記特許文献１には、液晶表示部が取り付けられたディスク読取装置において、液晶表示部をヒンジによって折りたたむことにより、ディスク読取装置本体に収納することが可能な電子機器の構造が記載されている。この電子機器では、液晶表示部は、表示画面が外部に露出することなく、ディスク読取装置本体に収納される。この特許文献１では、ディスクを載置する方式については何ら開示も示唆もされていない。たとえば、上記特許文献１に記載された電子機器において、ディスクを載置する方式として、ディスクをスロット（挿入穴）に挿入する方式が採用されている場合には、ディスクをスロットに挿入してセットする際に、ディスクに傷が付きやすいという不都合がある。
【０００４】
その一方、上記特許文献２には、液晶表示部が設けられたテレビジョン本体部の背面部に、ディスク読取装置が取り付けられるとともに、ディスク読取装置へのディスクの挿入を、ディスク読取装置に出し入れ可能に設けられたトレイにディスクを載置することによって行うテレビジョン受信機が開示されている。この特許文献２では、ディスク読取装置のトレイは、垂直方向に出し入れされるとともに、ディスクは、トレイの載置面が垂直の状態にあるトレイに載置される。この特許文献２では、トレイにディスクを載置する方式を採用しているので、上記特許文献１と異なり、ディスクをセットする際にディスクに傷が付きにくくすることが可能である。
【０００５】
しかしながら、上記特許文献２に記載されたテレビジョン受信機では、ディスク読取装置のトレイは、垂直方向に出し入れされるとともに、ディスクは、トレイの載置面が垂直の状態にあるトレイに載置されるので、トレイの載置面が水平の状態にあるトレイにディスクを載置する場合と異なり、ディスクの載置時にディスクが落下しやすいという不都合がある。
【０００６】
そこで、従来、据え置き型のテレビジョン本体部の内部に、トレイが水平方向に出し入れされるディスク読取装置が設置された液晶テレビジョンが提案されている（たとえば、特許文献３参照）。上記特許文献３では、ディスク読取装置のトレイは、トレイの載置面が水平な状態でディスク読取装置に出し入れされるので、上記特許文献２と異なり、ディスクをトレイの載置面に載置する際に、ディスクが落下するのを抑制することが可能である。
【０００７】
図１８および図１９は、上記特許文献３において提案された従来の液晶テレビジョンを概略的に示した断面図である。図１８および図１９を参照して、上記特許文献３において提案された従来の液晶テレビジョンの構造について説明する。
【０００８】
図１８に示すように、上記特許文献３において提案された従来の液晶テレビジョン１００では、前側筐体部１０１ａと後側筐体部１０１ｂとによって筐体が構成されている。また、液晶表示部１０２の映像表示部１０２ａが前側筐体部１０１ａに配置されるように、前側筐体部１０１ａの内部側から液晶表示部１０２が取り付けられている。この液晶表示
部１０２の映像表示部１０２ａは、外部に露出された状態に維持されている。また、後側筐体部１０１ｂの下部には、筐体を支持するための支持台（スタンド）１０３が取り付けられている。また、筐体内部には、液晶表示部１０２の映像表示部１０２ａに映像を表示させるためのディスク読取装置１０４が設置され、液晶テレビジョン１００とディスク読取装置１０４とが一体化されている。このディスク読取装置１０４には、水平方向に出し入れ可能なトレイ１０４ａが設けられており、トレイ１０４ａに図示しないディスクを載置することによって、装置内部にディスクが挿入される。また、ディスク読取装置１０４は、液晶表示部１０２が設置されている位置の下部に、トレイ１０４ａの載置面１０４ｂが水平となるように配置されている。また、前側筐体部１０１ａには、ディスク読取装置１０４のトレイ１０４ａが出し入れされるための孔部１０１ｃが設けられており、後側筐体部１０１ｂには、ディスク読取装置１０４を配置するための凹部１０１ｄが設けられている。また、前側筐体部１０１ａの正面側には、ディスク読取装置１０４のトレイ１０４ａを出し入れするためのスイッチ１０５が設けられている。
【０００９】
次に、図１８および図１９を参照して、図１８に示した従来の液晶テレビジョン１００のディスク読取装置１０４のディスク再生時の動作について説明する。まず、図１８に示すように、前側筐体部１０１ａの正面側に設けたスイッチ１０５を押すことによって、ディスク読取装置１０４のトレイ１０４ａを液晶表示部１０２の正面側に移動させる。次に、トレイ１０４ａの載置面１０４ｂにディスクを載置する。そして、再びスイッチ１０５を押すことによって、図１９に示すように、トレイ１０４ａをディスク読取装置１０４の内部側に移動させることによって、ディスク読取装置１０４の内部にディスクを挿入する。その後、ディスクの信号がディスク読取装置１０４によって読み取られ、図示しない処理回路部によって処理された後、液晶表示部１０２の映像表示部１０２ａに映像が表示される。
【特許文献１】特開２００１−２８２１２９号公報
【特許文献２】実開平７−２３３１１号公報
【特許文献３】特開２００１−３３２０７４号公報
【発明の開示】
【発明が解決しようとする課題】
【００１０】
しかしながら、図１８に示した従来の液晶テレビジョン１００では、筐体内部にディスク読取装置１０４をトレイ１０４ａの載置面１０４ｂが水平となるように配置しているので、図１９に示すように、液晶テレビジョン１００の厚み方向の長さを、ディスク読取装置１０４の奥行方向の長さ以上の長さＬにする必要があるという不都合がある。このため、ディスク読取装置１０４を筐体内部に設置しない場合に比べて、液晶テレビジョン１００の厚みが大きくなるという問題点がある。
【００１１】
この発明は、上記のような課題を解決するためになされたものであり、この発明の１つの目的は、筐体部の厚み方向の長さをディスク読取装置の奥行方向の長さよりも小さくすることが可能であり、かつ、ディスク読取装置へのディスクの載置時の落下を抑制することが可能なテレビジョンおよび液晶テレビジョンを提供することである。
【課題を解決するための手段】
【００１２】
この発明の第１の局面における液晶テレビジョンは、映像が表示される液晶表示部と、液晶表示部が設置されるテレビジョン本体部と、液晶表示部に映像を表示させるディスク読取装置とを備えた液晶テレビジョンにおいて、テレビジョン本体部は、ディスク読取装置からの信号を処理するための回路処理部をさらに備えるとともに、テレビジョン本体部とは別個に設けられるとともに、出し入れ可能なトレイにディスクを載置することによって、ディスクを本体内部に挿入するディスク読取装置をさらに備え、ディスク読取装置は
、接続部材によってテレビジョン本体部に回動可能に取り付けられ、接続部材の回動によって、トレイの載置面が実質的に水平となる位置から、テレビジョン本体部の背面部にディスク読取装置の上面部が当接する位置まで移動することにより、テレビジョン本体部の背面部に収納するように構成され、かつ、接続部材を介して、回路処理部と電気的に接続されており、テレビジョン本体部の背面部には、Ｌ字形状のフック部が設けられ、ディスク読取装置の上面部には、フック部が挿入される溝部が設けられ、溝部の上部には、溝部の内面側に突出するとともに、Ｌ字形状のフック部の先端部が係合する突出部が設けられており、Ｌ字形状のフック部は、ディスク読取装置の上面部がテレビジョン本体部の背面部と当接した際に、溝部に挿入されるとともに、所定の角度で回動することにより、Ｌ字形状のフック部の先端部が溝部の突出部と係合されることによって、ディスク読取装置が、テレビジョン本体部の背面部に固定され、接続部材の一方端は、ディスク読取装置に回動可能に取り付けられ、ディスク読取装置には、接続部材の回動を所定の角度で規制するための角度規制部が一体的に設けられており、ディスク読取装置の下面部の一方側端部には、ゴムにより形成されたディスク読取装置を支持するための支持部が設けられている。
【００１３】
この第１の局面による液晶テレビジョンでは、上記のように、出し入れ可能なトレイにディスクを載置することによってディスクを装置内部に挿入するディスク読取装置を備え、ディスク読取装置を、接続部材の回動によって、トレイの載置面が実質的に水平となる位置に設置するように構成することによって、ディスク読取装置にディスクを挿入する際に、トレイの載置面が実質的に水平の状態にあるトレイにディスクを載置することができるので、トレイの載置面が垂直の状態にあるトレイにディスクを載置する場合と異なり、ディスクのセット時にディスクが落下するのを抑制することができる。その結果、ディスクをディスク読取装置の内部に容易に挿入することができる。また、ディスク読取装置を、テレビジョン本体部とは別個に設けることによって、ディスク読取装置を水平方向にテレビジョン本体部の内部に設置する場合と異なり、テレビジョン本体部の厚み方向の長さをディスク読取装置の奥行方向（水平方向）の長さ以上にする必要がないので、テレビジョン本体部の厚み方向の長さを極めて小さくすることができる。また、接続部材の回動によって、トレイの載置面が実質的に水平となる位置から、テレビジョン本体部の背面部にディスク読取装置の上面部が当接する位置まで移動させることにより、ディスク読取装置をテレビジョン本体部の背面部に収納するように構成することによって、ディスクの挿入時には、トレイの載置面が実質的に水平となるようにディスク読取装置を設置することができるとともに、ディスク読取装置の収納時には、ディスク読取装置の厚み方向とテレビジョン本体部の厚み方向とが同じ方向となるように、ディスク読取装置をテレビジョン本体部の背面側に収納することができる。これにより、厚みの小さいテレビジョン本体部の背面部に、ディスク読取装置を長さの小さい厚み方向に配置することができるので、テレビジョン本体部にディスク読取装置を収納した場合にも、テレビジョン本体部およびディスク読取装置の合計の厚みを、ディスク読取装置の奥行方向の長さよりも小さくなるように設計することができる。
【００１４】
また、第１の局面では、テレビジョン本体部に、ディスク読取装置からの信号を処理するための処理回路部を備え、ディスク読取装置を、接続部材を介して、処理回路部と電気的に接続することにより、ディスク読取装置に、ディスクの読取信号を処理する処理回路部を設ける必要がないので、その分ディスク読取装置の大きさ（厚み）を小さくすることができる。これによっても、ディスク読取装置の収納時のテレビジョン本体部およびディスク読取装置の合計厚みを小さくすることができる。また、テレビジョン本体部の背面部に、Ｌ字形状のフック部を設け、ディスク読取装置の上面部に、フック部が挿入される溝部を設け、溝部の上部に、溝部の内面側に突出するとともに、Ｌ字形状のフック部の先端部が係合する突出部を設け、Ｌ字形状のフック部を、ディスク読取装置の上面部がテレビジョン本体部の背面部と当接した際に、溝部に挿入するとともに、所定の角度で回動することにより、Ｌ字形状のフック部の先端部が、溝部の突出部と係合されることによって、
ディスク読取装置をテレビジョン本体部の背面部に固定するように構成することによって、ディスク読取装置がテレビジョン本体部の背面部に収納された際に、ディスク読取装置がテレビジョン本体部から外れるのを容易に抑制することができる。また、接続部材の一方端を、テレビジョン本体部に回動可能に取り付け、接続部材の他方端を、ディスク読取装置に回動可能に取り付け、ディスク読取装置に、接続部材の回動を所定の角度で規制するための角度規制部を設けることによって、接続部材の他方端は、接続部材が角度規制部と当接した際に、ディスク読取装置との回動が規制されるので、接続部材の一方端を回動させることによって、ディスク読取装置を容易に移動させることができる。また、ディスク読取装置の下面部の一方側端部に、ゴムにより形成され、ディスク読取装置を支持するための支持部を設けることにより、接続部材の回動によってトレイの載置面が実質的に水平となる位置にディスク読取装置が設置された際に、ディスク読取装置の下面部が、ゴムによって形成された支持部により支持されるので、トレイの出し入れによる振動をゴムによって形成された支持部により吸収することができる。その結果、ディスク読取装置のトレイの出し入れによる振動を抑制することができる。
【００１５】
この発明の第２の局面におけるテレビジョンは、映像が表示される表示部と、表示部が設置されるテレビジョン本体部と、テレビジョン本体部とは別個に設けられ、接続部材によってテレビジョン本体部に回動可能に取り付けられるとともに、出し入れ可能なトレイにディスクを載置することによって、ディスクを装置内部に挿入するディスク読取装置とを備え、ディスク読取装置は、接続部材の回動によって、トレイの載置面が実質的に水平となる位置から、テレビジョン本体部の背面部にディスク読取装置の上面部が当接する位置まで移動することにより、テレビジョン本体部の背面部に収納するように構成されている。
【００１６】
この発明の第２の局面におけるテレビジョンでは、上記のように、出し入れ可能なトレイにディスクを載置することによってディスクを装置内部に挿入するディスク読取装置を備え、ディスク読取装置を、接続部材の回動によって、トレイの載置面が実質的に水平となる位置に設置するように構成することによって、ディスク読取装置にディスクを挿入する際に、トレイの載置面が実質的に水平の状態にあるトレイにディスクを載置することができるので、トレイの載置面が垂直の状態にあるトレイにディスクを載置する場合と異なり、ディスクのセット時にディスクが落下するのを抑制することができる。その結果、ディスクをディスク読取装置の内部に容易に挿入することができる。また、ディスク読取装置を、テレビジョン本体部とは別個に設けることによって、ディスク読取装置を水平方向にテレビジョン本体部の内部に設置する場合と異なり、テレビジョン本体部の厚み方向の長さをディスク読取装置の奥行方向（水平方向）の長さ以上にする必要がないので、テレビジョン本体部の厚み方向の長さを極めて小さくすることができる。また、接続部材の回動によって、トレイの載置面が実質的に水平となる位置から、テレビジョン本体部の背面部にディスク読取装置の上面部が当接する位置まで移動させることにより、ディスク読取装置をテレビジョン本体部の背面部に収納するように構成することによって、ディスクの挿入時には、トレイの載置面が実質的に水平となるようにディスク読取装置を設置することができるとともに、ディスク読取装置の収納時には、ディスク読取装置の厚み方向とテレビジョン本体部の厚み方向とが同じ方向となるように、ディスク読取装置をテレビジョン本体部の背面側に収納することができる。これにより、厚みの小さいテレビジョン本体部の背面部に、ディスク読取装置を長さの小さい厚み方向に配置することができるので、テレビジョン本体部にディスク読取装置を収納した場合にも、テレビジョン本体部およびディスク読取装置の合計の厚みを、ディスク読取装置の奥行方向の長さよりも小さくなるように設計することができる。
【００１７】
上記第２の局面によるテレビジョンにおいて、好ましくは、テレビジョン本体部は、ディスク読取装置からの信号を処理するための処理回路部をさらに備え、ディスク読取装置
は、接続部材を介して、処理回路部と電気的に接続されている。このように構成すれば、ディスク読取装置に、ディスクの読取信号を処理する処理回路部を設ける必要がないので、その分ディスク読取装置の大きさ（厚み）を小さくすることができる。これによっても、ディスク読取装置の収納時のテレビジョン本体部およびディスク読取装置の合計厚みを小さくすることができる。
【００１８】
上記第２の局面によるテレビジョンにおいて、好ましくは、テレビジョン本体部の背面部またはディスク読取装置の上面部の一方には、フック部が設けられ、テレビジョン本体部の背面部またはディスク読取装置の上面部の他方には、フック部と係合する係合部が設けられ、接続部材の回動によって、ディスク読取装置の上面部がテレビジョン本体部の背面部と当接した際に、フック部と係合部とが係合することによって、ディスク読取装置がテレビジョン本体部の背面部に固定される。このように構成すれば、ディスク読取装置がテレビジョン本体部の背面部に収納された際に、ディスク読取装置がテレビジョン本体部から外れるのを抑制することができる。
【００１９】
上記第２の局面によるテレビジョンにおいて、好ましくは、フック部は、テレビジョン本体部に設けられるとともに、Ｌ字形状を有し、係合部は、ディスク読取装置の上面部に設けられ、フック部が挿入される溝部を含み、溝部の上部には、溝部の内面側に突出するとともに、Ｌ字形状のフック部の先端部が係合する突出部が設けられており、Ｌ字形状のフック部は、ディスク読取装置の上面部がテレビジョン本体部の背面部と当接した際に、溝部に挿入されるとともに、所定の角度で回動することにより、Ｌ字形状のフック部の先端部が溝部の突出部と係合されることによって、ディスク読取装置が、テレビジョン本体部の背面部に固定される。このように構成すれば、ディスク読取装置がテレビジョン本体部の背面部に収納された際に、ディスク読取装置がテレビジョン本体部から外れるのを容易に抑制することができる。
【００２０】
上記第２の局面によるテレビジョンにおいて、好ましくは、接続部材の一方端は、テレビジョン本体部に回動可能に取り付けられ、接続部材の他方端は、ディスク読取装置に回動可能に取り付けられ、ディスク読取装置には、接続部材の回動を所定の角度で規制するための角度規制部が設けられている。このように構成すれば、接続部材の他方端は、接続部材が角度規制部と当接した際に、ディスク読取装置との回動が規制されるので、接続部材の一方端を回動させることによって、ディスク読取装置を容易に移動させることができる。
【００２１】
上記第２の局面によるテレビジョンにおいて、好ましくは、ディスク読取装置の下面部の一方側端部には、ゴムにより形成され、ディスク読取装置を支持するための支持部が設けられている。このように構成すれば、接続部材の回動によってトレイの載置面が実質的に水平となる位置にディスク読取装置が設置された際に、ディスク読取装置の下面部が、ゴムによって形成された支持部により支持されるので、トレイの出し入れによる振動をゴムによって形成された支持部により吸収することができる。その結果、ディスク読取装置のトレイの出し入れによる振動を抑制することができる。
【発明を実施するための最良の形態】
【００２２】
以下、本発明を具体化した実施形態を図面に基づいて説明する。
【００２３】
図１は、本発明の一実施形態による液晶テレビジョンの背面側から見た全体斜視図である。図２は、図１に示した本発明の一実施形態による液晶テレビジョンの正面側から見た全体斜視図である。図３は、図１に示した本発明の一実施形態による液晶テレビジョンのディスク読取装置を収納した状態の背面側から見た全体斜視図である。図４は、図１に示した本発明の一実施形態による液晶テレビジョンの背面図である。図５は、図１に示した
本発明の一実施形態による液晶テレビジョンの正面図である。図６〜図１３は、図１の本発明の一実施形態による液晶テレビジョンの詳細構造を説明するための図である。図１〜図１３を参照して、本発明の一実施形態による液晶テレビジョンの構造について説明する。
【００２４】
本発明の一実施形態による液晶テレビジョンでは、図１〜図３に示すように、テレビジョン本体部１の筐体は、前側筐体部２ａと後側筐体部２ｂとによって構成されている。また、図１に示すように、テレビジョン本体部１の筐体の厚み方向の長さは、Ｌ１となるように構成されている。また、液晶表示部３の映像表示部３ａが前側筐体部２ａに配置されるように、前側筐体部２ａの内部側から液晶表示部３が取り付けられている。また、前側筐体部２ａの正面側の両端側には、音声を出力するスピーカ部４（図２および図５参照）が取り付けられている。また、テレビジョン本体部１は、支持部材５ａと位置決部５ｂとが設けられたテレビ台５に取り付けられている。
【００２５】
ここで、本実施形態では、テレビジョン本体部１には、図１および図３に示すように、テレビジョン本体部１と別個に設けられたディスク読取装置６が、接続部材７を介して回動可能に取り付けられている。
【００２６】
また、後側筐体部２ｂには、図１および図４に示すように、接続部材７が挿入される接続用孔部２ｃと、フック部８と、センサ部９とが設けられている。また、テレビジョン本体部１の内部には、図４に示すように、処理回路部１０と、フック部８を約９０°回動させるためのフック用モータ１１と、支持棒１２を支持するための軸受部１３と、回動用モータ１４が設けられたギアボックス１５とを備えている。また、図２および図５に示すように、前側筐体部２ａの正面側には、ディスク読取装置６を回動させるための回動スイッチ１６と、ディスク読取装置６のトレイ６ｂを出し入れするための取出スイッチ１７と、映像を再生するための再生スイッチ１８と、再生を停止するための停止スイッチ１９とが設けられている。
【００２７】
また、ディスク読取装置６は、図６に示すように、筐体本体部６ａと、ディスク２０を装置内部に挿入するためのトレイ６ｂと、ディスク読取装置６を移動させるための接続部材７とを備えている。また、筐体本体部６ａの上面部の両端部近傍には、接続部材７が挿入される２つの孔部６ｃが設けられている。また、筐体本体部６ａの内部には、接続部材７を回動可能に取り付けるための回動用孔部６ｄが設けられている。また、筐体本体部６ａの厚み方向の長さＬ２は、図７に示すように、奥行方向の長さＬ３に比べて小さくなるように構成されている。
【００２８】
ここで、本実施形態では、図６および図７に示すように、回動用孔部６ｄの近傍には、接続部材７と当接することにより、接続部材７の回動を所定の角度θ（図７参照）で規制するための角度規制部６ｅが設けられている。また、図１１に示すように、筐体本体部６ａの上面部には、テレビジョン本体部１の背面部に設けられたフック部８が挿入される溝部６ｆが設けられている。また、溝部６ｆの上部には、溝部６ｆの内面側に突出する突出部６ｇが設けられている。また、トレイ６ｂは、ディスク読取装置６に出し入れ可能に設けられている。そして、トレイ６ｂの載置面６ｈにディスク２０を載置して、その状態でトレイ６ｂをディスク読取装置６の内部側に移動されることによって、ディスク２０がディスク読取装置６の内部に挿入されるように構成されている。また、ディスク読取装置６の下面部には、図３および図７に示すように、ゴムにより形成された支持部２１が設けられている。この支持部２１は、ディスク読取装置６が、テレビジョン本体部１の下部にトレイ６ｂの載置面６ｈが実質的に水平となるように設置（図２および図５参照）された際に、ディスク読取装置６の筐体本体部６ａを支持する。また、図３および図７に示すように、テレビ台５には、支持部２１の位置決めをするための位置決部５ｂが設けられている
。そして、接続部材７の回動によって、ディスク読取装置６がテレビジョン本体部１の下部まで移動した際に、テレビ台５の位置決部５ｂとゴム製の支持部２１（図７参照）とが当接することによって、ディスク読取装置６の位置決めが行われるように構成されている。
【００２９】
また、図８および図９に示すように、接続部材７の一方端側には、支持棒１２が挿入されるＤ字形状の挿入孔部７ａが設けられており、接続部材７の他方端側には、突出部７ｂが設けられている。また、接続部材７は、中空の長方形状を有しており、接続部材７の中空の内部を電気配線２２が通っている。また、接続部材７の一方端に設けられた挿入孔部７ａには、図９に示すように、Ｄ字状の面取部１２ａが設けられた支持棒１２が空回りしないように挿入されている。また、支持棒１２には、ギア１２ｂ（図４参照）が空回りしないように取り付けられている。また、支持棒１２に取り付けられているギア１２ｂは、ギアボックス１５と係合している。また、支持棒１２は、テレビジョン本体部１の内部に設けられた軸受部１３によって回動可能に支持されている。
【００３０】
ここで、本実施形態では、図１、図３および図４に示すように、回動用モータ１４が回転することによって、接続部材７が支持棒１２を回動中心として回動する。また、接続部材７は、回動時にディスク読取装置６の角度規制部６ｅ（図７参照）と当接することによって、ディスク読取装置６との回動が規制される。このように、ディスク読取装置６は、接続部材７の回動によって、テレビジョン本体部１の下部に位置するトレイ６ｂの載置面６ｈが実質的に水平となる位置からディスク読取装置６の上面部がテレビジョン本体部１の背面部と当接する位置まで移動するように構成されている。
【００３１】
また、本実施形態では、接続部材７の内部を通っている電気配線２２によって、ディスク読取装置６とテレビジョン本体部１とが電気的に接続されている。また、電気配線２２の一部は、ディスク読取装置６とテレビジョン本体部１に設けられた処理回路部１０（図４参照）とを接続している。また、フック部８は、図１０に示すように、Ｌ字形状を有しており、テレビジョン本体部１の内部に設けられたフック用モータ１１によって約９０°矢印Ａ方向および矢印Ｂ方向に回動するように設けられている。また、センサ部９は、たとえば、反射型の光センサからなり、ディスク読取装置６の上面部が、テレビジョン本体部１の背面部と当接したことを検知する。このセンサ部９による検知に応答して、接続部材７を回動させている回動用モータ１４の回転が停止されてディスク読取装置６の回動が停止されるとともに、フック部８が約９０°矢印Ａ方向に回動されるように構成されている。
【００３２】
また、本実施形態では、図１３に示すように、ディスク読取装置６がテレビジョン本体部１の背面部に収納された状態では、テレビジョン本体部１の厚み方向の長さは、液晶テレビジョンの筐体の厚み方向の長さＬ１とディスク読取装置６の厚み方向の長さＬ２とを合計した長さとなり、ディスク読取装置６の奥行方向の長さＬ３と比べて小さくなる。
【００３３】
図１４〜図１７は、図１に示した本発明の一実施形態による液晶テレビジョンのディスク読取装置の移動動作について説明するための側面図である。次に、図１３〜図１７を参照して、本発明の一実施形態による液晶テレビジョンのディスク読取装置６の移動動作について説明する。まず、図１３に示すように、ディスク読取装置６の上面部がテレビジョン本体部１の背面部と当接した状態になっている。この状態では、テレビジョン本体部１のフック部８の先端部とディスク読取装置６の溝部６ｆの突出部６ｇとが係合した状態にあり、ディスク読取装置６は、テレビジョン本体部１の背面部に固定されている。次に、テレビジョン本体部１の正面部に設けた回動スイッチ１６（図５参照）を押すことによって、フック部８は矢印Ｂ方向（図１０参照）に約９０°回動する。これにより、ディスク読取装置６の溝部６ｆの突出部６ｇとフック部８の先端部との係合が解除される。その後
、回動用モータ１４が回転し、接続部材７が回動する。接続部材７は、ディスク読取装置６の角度規制部６ｅと当接した状態となっているため、接続部材７の回動は規制され、ディスク読取装置６と一体となった状態にある。そして、ディスク読取装置６は、図１４に示すように、接続部材７の回動にともなって、テレビジョン本体部１の下部方向（矢印Ｃ方向）へと移動する。
【００３４】
さらに、接続部材７が回動すると、図１５に示すように、ディスク読取装置６の下面部に設けたゴム製の支持部２１がテレビ台５と当接する。その状態で、さらに接続部材７が回動すると、図１６に示すように、接続部材７とディスク読取装置６の角度規制部６ｅとが離間し、ディスク読取装置６は、水平方向に移動する。そして、ディスク読取装置６の下面部に設けたゴム製の支持部２１が、テレビ台５の位置決部５ｂと当接することによって、ディスク読取装置６の水平方向の位置決めが行われる。このようにして、ディスク読取装置６は、テレビジョン本体部１の下部に、トレイ６ｂの載置面６ｈが実質的に水平となるように設置される。次に、テレビジョン本体部１の正面部に設けた取出スイッチ１７（図５参照）を押すことによって、図１７に示すように、トレイ６ｂがディスク読取装置６の内部側から外部に移動される。引き出されたトレイ６ｂの載置面６ｈにディスク２０を載置した後、再度、取出スイッチ１７を押すことによって、トレイ６ｂがディスク読取装置６の内部側に移動される。
【００３５】
また、ディスク読取装置６をテレビジョン本体部１の背面部に収納する場合には、ディスク読取装置６がテレビジョン本体部１の下部の位置にある状態（図１６参照）で、回動スイッチ１６（図５参照）を押す。これにより、上記のディスク読取装置６の移動動作と逆の動作が行われ、ディスク読取装置６は、テレビジョン本体部１の背面部（図１３参照）まで移動する。そして、ディスク読取装置６の上面部が、テレビジョン本体部１の背面部と当接する。このディスク読取装置６の上面部がテレビジョン本体部１の背面部と当接した状態では、フック部８は、ディスク読取装置６の溝部６ｆに挿入された状態となっている。また、ディスク読取装置６の上面部が、テレビジョン本体部１の背面部と当接すると、センサ部９によって当接したことが検知される。このセンサ部９による検知に応答して、フック部８が矢印Ａ方向（図１０参照）に約９０°回動する。これにより、フック部８の先端部とディスク読取装置６の溝部６ｆの突出部６ｇとが係合して、図１３に示すように、ディスク読取装置６が、テレビジョン本体部１の背面部に固定される。
【００３６】
また、液晶表示部３の映像表示部３ａに映像を表示させる場合には、図１６に示した状態で、前側筐体部２ａの正面側に設けられた再生スイッチ１８（図５参照）を押す。これにより、ディスク読取装置６によってディスク２０の情報が読み取られる。そして、読み取られた情報は、接続部材７の内部を通る電気配線２２を介して、テレビジョン本体部１の処理回路部１０に送られる。そして、処理回路部１０によって信号が処理され、ディスク２０に記録された映像が、液晶表示部３の映像表示部３ａに表示される。
【００３７】
本実施形態では、上記のように、出し入れ可能なトレイ６ｂにディスク２０を載置することによってディスク２０を装置内部に挿入するディスク読取装置６を備え、ディスク読取装置６を、接続部材７の回動によって、トレイ６ｂの載置面６ｈが実質的に水平となる位置に設置するように構成することによって、ディスク読取装置６にディスク２０を挿入する際に、トレイ６ｂの載置面６ｈが実質的に水平の状態にあるトレイ６ｂにディスク２０を載置することができるので、トレイ６ｂの載置面６ｈが垂直の状態にあるトレイ６ｂにディスク２０を載置する場合と異なり、ディスク２０のセット時にディスク２０が落下するのを抑制することができる。その結果、ディスク２０をディスク読取装置６の内部に容易に挿入することができる。
【００３８】
また、本実施形態では、ディスク読取装置６を、テレビジョン本体部１とは別個に設け
ることによって、ディスク読取装置６を水平方向にテレビジョン本体部１の内部に設置する場合と異なり、テレビジョン本体部１の厚み方向の長さＬ１をディスク読取装置１の奥行方向（水平方向）の長さＬ３以上にする必要がないので、テレビジョン本体部１の厚み方向の長さＬ１を極めて小さくすることができる。
【００３９】
また、本実施形態では、接続部材７の回動によって、トレイ６ｂの載置面６ｈが実質的に水平となる位置から、テレビジョン本体部１の背面部にディスク読取装置６の上面部が当接する位置まで移動させることにより、ディスク読取装置６をテレビジョン本体部１の背面部に収納するように構成することによって、ディスク２０の挿入時には、トレイ６ｂの載置面６ｈが実質的に水平となるようにディスク読取装置６を設置することができるとともに、ディスク読取装置６の収納時には、ディスク読取装置６の厚み方向とテレビジョン本体部１の厚み方向とが同じ方向となるようにディスク読取装置６をテレビジョン本体部１の背面部に収納することができる。これにより、厚みの小さいテレビジョン本体部１の背面部に、ディスク読取装置６を長さの小さい厚み方向に配置することができるので、テレビジョン本体部１にディスク読取装置６を収納した場合にも、テレビジョン本体部１の厚み方向の長さＬ１およびディスク読取装置６の厚み方向の長さＬ２の合計の厚み方向の長さを、ディスク読取装置６の奥行方向の長さＬ３よりも小さくなるように設計することができる。
【００４０】
また、本実施形態では、テレビジョン本体部１に、ディスク読取装置６からの信号を処理するための処理回路部１０を備え、ディスク読取装置６を、接続部材７を介して、処理回路部１０と電気的に接続することにより、ディスク読取装置６に、ディスク２０の読取信号を処理する処理回路部１０を設ける必要がないので、その分ディスク読取装置６の大きさ（厚み）を小さくすることができる。これによっても、ディスク読取装置６の収納時のテレビジョン本体部１およびディスク読取装置６の合計厚みを小さくすることができる。
【００４１】
また、本実施形態では、テレビジョン本体部１の背面部に、Ｌ字形状のフック部８を設け、ディスク読取装置６の上面部に、フック部８が挿入される溝部６ｆを設け、溝部６ｆの上部に、溝部６ｆの内面側に突出するとともに、Ｌ字形状のフック部８の先端部が係合する突出部６ｇを設け、Ｌ字形状のフック部８を、ディスク読取装置６の上面部がテレビジョン本体部１の背面部と当接した際に、溝部６ｆに挿入するとともに、所定の角度で回動することにより、Ｌ字形状のフック部８の先端部が、溝部６ｆの突出部６ｇと係合されることによって、ディスク読取装置６をテレビジョン本体部１の背面部に固定するように構成することによって、ディスク読取装置６がテレビジョン本体部１の背面部に収納された際に、ディスク読取装置６がテレビジョン本体部１から外れるのを容易に抑制することができる。
【００４２】
また、本実施形態では、接続部材７の一方端を、テレビジョン本体部１に回動可能に取り付け、接続部材７の他方端を、ディスク読取装置６に回動可能に取り付け、ディスク読取装置６に、接続部材７の回動を所定の角度で規制するための角度規制部６ｅを設けることによって、接続部材７の他方端は、接続部材７が角度規制部６ｅと当接した際に、ディスク読取装置６との回動が規制されるので、接続部材７の一方端を回動させることによって、ディスク読取装置６を容易に移動させることができる。
【００４３】
また、本実施形態では、ディスク読取装置６の下面部の一方側端部に、ゴムにより形成され、ディスク読取装置６を支持するための支持部２１を設けることにより、接続部材７の回動によってトレイ６ｂの載置面６ｈが実質的に水平となる位置にディスク読取装置６が設置された際に、ディスク読取装置６の下面部が、ゴムによって形成された支持部２１により支持されるので、トレイ６ｂの出し入れによる振動をゴムによって形成された支持
部２１により吸収することができる。その結果、ディスク読取装置６のトレイ６ｂの出し入れによる振動を抑制することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、液晶テレビジョンに、ディスク読取装置を回動可能に取り付けた例を示したが、本発明はこれに限らず、液晶テレビジョン以外のテレビジョンにディスク読取装置を回動可能に取り付けるようにしてもよい。たとえば、プラズマテレビジョンに、ディスク読取装置を回動可能に取り付けるようにしてもよい。
【００４６】
また、上記実施形態では、テレビジョン本体部にディスク読取装置からの信号を処理する処理回路部を設け、テレビジョン本体部の処理回路部によって、映像表示部に映像を表示するように構成した例を示したが、本発明はこれに限らず、ディスク読取装置の内部に信号を処理する処理回路部を設け、ディスク読取装置の処理回路部によって、映像表示部に映像を表示するようにしてもよい。
【００４７】
また、上記実施形態では、テレビジョン本体部の背面部にフック部を設け、ディスク読取装置の上面部にフック部が挿入される溝部を設けた例を示したが、本発明はこれに限らず、ディスク読取装置の上面部にフック部を設け、テレビジョン本体部の背面部にディスク読取装置のフック部が挿入される溝部を設けるようにしてもよい。
【００４８】
また、上記実施形態では、フック部をＬ字形状に構成し、フック部が挿入される溝部に、溝部の上部に溝部の内面側に突出するとともに、Ｌ字形状のフック部の先端部と係合する突出部を設けた例を示したが、本発明はこれに限らず、フック部と溝部の突出部とが係合することができれば、フック部をＬ字形状以外の形状に構成してもよい。たとえば、フック部をＴ字形状に構成し、Ｔ字形状のフック部と係合する突出部を溝部に設けるようにしてもよい。
【００４９】
また、上記実施形態では、ディスク読取装置に、接続部材の回動を規制するための角度規制部を設けた例を示したが、本発明はこれに限らず、角度規制部を設けずに、接続部材とディスク読取装置とを固定して、接続部材が回動しないように構成してもよい。
【００５０】
また、上記実施形態では、ディスク読取装置の下面部に、ゴムにより形成された支持部を設け、ディスク読取装置を支持するように構成した例を示したが、本発明はこれに限らず、ゴム以外の材料で形成された支持部を、ディスク読取装置の下面部に設け、ディスク読取装置を支持するように構成してもよい。また、ディスク読取装置の下面部には支持部を設けず、ディスク読取装置の下面部が直接テレビ台と当接するように構成してもよい。
【図面の簡単な説明】
【００５１】
【図１】本発明の一実施形態による液晶テレビジョンの背面側から見た全体斜視図である。
【図２】図１に示した本発明の一実施形態による液晶テレビジョンの正面側から見た全体斜視図である。
【図３】図１に示した本発明の一実施形態による液晶テレビジョンのディスク読取装置を収納した状態の背面側から見た全体斜視図である。
【図４】図１に示した本発明の一実施形態による液晶テレビジョンの背面図である。
【図５】図１に示した本発明の一実施形態による液晶テレビジョンの正面図である。
【図６】図１に示した本発明の一実施形態による液晶テレビジョンのディスク読取装置の全体斜視図である。
【図７】図６の３００−３００線に沿った断面図である。
【図８】図１に示した本発明の一実施形態による液晶テレビジョンの接続部材の斜視図である。
【図９】図１に示した本発明の一実施形態による液晶テレビジョンの接続部材の斜視図である。
【図１０】図１に示した本発明の一実施形態による液晶テレビジョンのフック部の拡大斜視図である。
【図１１】図１に示した本発明の一実施形態による液晶テレビジョンのディスク読取装置の溝部の拡大斜視図である。
【図１２】図３の２００−２００線に沿った断面図である。
【図１３】図１に示した本発明の一実施形態による液晶テレビジョンの側面図である。
【図１４】図１に示した本発明の一実施形態による液晶テレビジョンのディスク読取装置の移動動作について説明するための側面図である。
【図１５】図１に示した本発明の一実施形態による液晶テレビジョンのディスク読取装置の移動動作について説明するための側面図である。
【図１６】図１に示した本発明の一実施形態による液晶テレビジョンのディスク読取装置の移動動作について説明するための側面図である。
【図１７】図１に示した本発明の一実施形態による液晶テレビジョンのディスク読取装置の移動動作について説明するための側面図である。
【図１８】特許文献３において提案された従来の液晶テレビジョンを概略的に示した断面図である。
【図１９】特許文献３において提案された従来の液晶テレビジョンを概略的に示した断面図である。
【符号の説明】
【００５２】
１            テレビジョン本体部
２ａ          前側筐体部
２ｂ          後側筐体部
６            ディスク読取装置
６ａ          筐体本体部
６ｂ          トレイ
６ｅ          角度規制部
６ｆ          溝部
６ｇ          突出部
６ｈ          載置面
７            接続部材
８            フック部
９            センサ部
１０          処理回路部
２０          ディスク
【図１】
2007042198.tif 000003
【図２】
2007042198.tif 000004
【図３】
2007042198.tif 000005
【図４】
2007042198.tif 000006
【図５】
2007042198.tif 000007
【図６】
2007042198.tif 000008
【図７】
2007042198.tif 000009
【図８】
2007042198.tif 000010
【図９】
2007042198.tif 000011
【図１０】
2007042198.tif 000012
【図１１】
2007042198.tif 000013
【図１２】
2007042198.tif 000014
【図１３】
2007042198.tif 000015
【図１４】
2007042198.tif 000016
【図１５】
2007042198.tif 000017
【図１６】
2007042198.tif 000018
【図１７】
2007042198.tif 000019
【図１８】
2007042198.tif 000020
【図１９】
2007042198.tif 000021